【手続補正書】
【提出日】平成30年7月24日(2018.7.24)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
２０ＭＨｚ帯域幅を介した送信用の、２３４個のデータトーンと、８個のパイロットトーンと、３個の直流トーンと、１１個のエッジトーンとを備える２５６トーンプランに関連する２４２トーンリソースユニット（ＲＵ）、または
４０ＭＨｚ帯域幅を介した送信用の、４６８個のデータトーンと、１６個のパイロットトーンと、５個の直流トーンと、２３個のエッジトーンとを備える５１２トーンプランに関連する４８４トーンＲＵ
のうちの少なくとも１つを選択することと、
前記２５６トーンプランまたは５１２トーンプランによる送信用のメッセージを供給することと、
を備える、方法。
【請求項２】
選択する前記ステップが、前記２４２トーンＲＵを選択することを備え、供給する前記ステップが、前記２５６トーンプランによる送信用の前記メッセージを供給することを備え、
バイナリ畳み込みコード（ＢＣＣ）インターリービングのために、２６としてのインターリーバ深度と、４つまでの空間ストリームに対して５８としてのインターリーブされたローテーションインデックスとを使用して、符号化データをインターリーブすること、または
低密度パリティチェック（ＬＤＰＣ）のために、９としてのトーンマッピング距離（ＤＴＭ）を使用して前記メッセージのトーンをマッピングすること
のいずれかをさらに備える、請求項１に記載の方法。
【請求項３】
選択する前記ステップが、前記４８４トーンＲＵを選択することを備え、供給する前記ステップが、前記５１２トーンプランによる送信用の前記メッセージを供給することを備え、
低密度パリティチェック（ＬＤＰＣ）のために、１２としてのトーンマッピング距離（ＤＴＭ）を使用して前記メッセージのトーンをマッピングすることと、
前記メッセージのバイナリ畳み込みコードインターリービングマップトーンを実行することを控えることと、
をさらに備える、請求項１に記載の方法。
【請求項４】
２４２個のトーン以下のＲＵサイズに対してバイナリ畳み込みコード（ＢＣＣ）インターリービングを実行することと、ＢＣＣインターリービングを、４つ以下の空間ストリームを介した送信に限定することと、をさらに備える、請求項１に記載の方法。
【請求項５】
４０、８０、１６０、または８０＋８０ＭＨｚの単一ユーザ帯域幅のうちの少なくとも１つに対するサポートを宣言しているステーション、または４つを超える空間ストリームに対するサポートを宣言しているステーションへの送信のために、低密度パリティチェック（ＬＤＰＣ）を使用して前記メッセージのトーンをマッピングすることをさらに備える、請求項１に記載の方法。
【請求項６】
前記方法が移動局において実行され、送信用の前記メッセージを供給することが、前記移動局をサービスするアクセスポイントへ前記移動局の送信機およびアンテナを通して前記メッセージを送信することを備える、請求項１に記載の方法。
【請求項７】
前記方法がアクセスポイントにおいて実行され得、送信用の前記メッセージを供給することが、前記アクセスポイントによってサービスされる移動局へ前記アクセスポイントの送信機およびアンテナを通して前記メッセージを送信することを備える、請求項１に記載の方法。
【請求項８】
ワイヤレス通信のための装置であって、
２０ＭＨｚ帯域幅を介した送信用の、２３４個のデータトーンと、８個のパイロットトーンと、３個の直流トーンと、１１個のエッジトーンとを備える２５６トーンプランに関連する２４２トーンリソースユニット（ＲＵ）、または
４０ＭＨｚ帯域幅を介した送信用の、４６８個のデータトーンと、１６個のパイロットトーンと、５個の直流トーンと、２３個のエッジトーンとを備える５１２トーンプランに関連する４８４トーンＲＵ
のうちの少なくとも１つを選択するための手段と、
前記２５６トーンプランまたは５１２トーンプランによる送信用のメッセージを供給するための手段と、
を備える、装置。
【請求項９】
選択するための前記手段が、前記２４２トーンＲＵを選択するための手段を備え、供給するための前記手段が、前記２５６トーンプランによる送信用の前記メッセージを供給するための手段を備え、前記装置が、
バイナリ畳み込みコード（ＢＣＣ）インターリービングのために、２６としてのインターリーバ深度と、４つまでの空間ストリームに対して５８としてのインターリーブされたローテーションインデックスとを使用して、符号化データをインターリーブすること、または
低密度パリティチェック（ＬＤＰＣ）のために、９としてのトーンマッピング距離（ＤＴＭ）を使用して前記メッセージのトーンをマッピングすること
のいずれかのための手段をさらに備える、請求項８に記載の装置。
【請求項１０】
選択するための前記手段が、前記４８４トーンＲＵを選択するための手段を備え、供給するための前記手段が、前記５１２トーンプランによる送信用の前記メッセージを供給するための手段を備え、前記装置が、
低密度パリティチェック（ＬＤＰＣ）のために、１２としてのトーンマッピング距離（ＤＴＭ）を使用して前記メッセージのトーンをマッピングすることと、
前記メッセージのバイナリ畳み込みコードインターリービングマップトーンを実行することを控えることと、
を行うための手段をさらに備える、請求項８に記載の装置。
【請求項１１】
２４２個のトーン以下のＲＵサイズに対してバイナリ畳み込みコード（ＢＣＣ）インターリービングを実行するための手段をさらに備え、ここにおいて、ＢＣＣインターリービングが、すべてのＲＵサイズに対して４つ以下の空間ストリームを介した送信に限定される、請求項８に記載の装置。
【請求項１２】
４０、８０、１６０、または８０＋８０ＭＨｚの単一ユーザ帯域幅のうちの少なくとも１つに対するサポートを宣言しているステーション、または４つを超える空間ストリームに対するサポートを宣言しているステーションへの送信のために、低密度パリティチェック（ＬＤＰＣ）を使用して前記メッセージのトーンをマッピングするための手段をさらに備える、請求項８に記載の装置。
【請求項１３】
前記装置が移動局であり、送信用の前記メッセージを供給するための前記手段が、送信機およびアンテナを備える、請求項８に記載の装置。
【請求項１４】
前記装置がアクセスポイントであり、送信用の前記メッセージを供給するための前記手段が、送信機およびアンテナを備える、請求項８に記載の装置。
【請求項１５】
コンピュータ上で実行されるとき、前記コンピュータに、請求項１乃至７に従う方法のうちの１つを実行させるための命令を備える、コンピュータプログラム。
【手続補正２】
【補正対象書類名】明細書
【補正対象項目名】０２７７
【補正方法】変更
【補正の内容】
【０２７７】
[00300]上記のことは本開示の態様に向けられるが、本開示の他の態様およびさらなる態様が、それの基本的範囲から逸脱することなく考案され得、それの範囲は以下の特許請求の範囲によって決定される。
以下に、本願出願の当初の特許請求の範囲に記載された発明を付記する。
［Ｃ１］
ワイヤレス通信を実行するように構成された装置であって、
命令を記憶するメモリと、
前記メモリに結合され、
２０ＭＨｚ帯域幅を介した送信用の、２３４個のデータトーンと、８個のパイロットトーンと、３個の直流トーンと、１１個のエッジトーンとを備える２５６トーンプランに関連する２４２トーンリソースユニット（ＲＵ）、または
４０ＭＨｚ帯域幅を介した送信用の、４６８個のデータトーンと、１６個のパイロットトーンと、５個の直流トーンと、２３個のエッジトーンとを備える５１２トーンプランに関連する４８４トーンＲＵ
のうちの少なくとも１つを選択することと、
前記２５６トーンプランまたは５１２トーンプランによる送信用のメッセージを供給することと、
を行うための前記命令を実行するように構成された、処理システムと、
を備える、装置。
［Ｃ２］
前記処理システムが、前記２４２トーンＲＵを選択すること、前記２５６トーンプランによる送信用の前記メッセージを供給すること、および
バイナリ畳み込みコード（ＢＣＣ）インターリービングのために、２６としてのインターリーバ深度と、４つまでの空間ストリームに対して５８としてのインターリーブされたローテーションインデックスとを使用して、符号化データをインターリーブすること、または
低密度パリティチェック（ＬＤＰＣ）のために、９としてのトーンマッピング距離（ＤＴＭ）を使用して前記メッセージのトーンをマッピングすること
のいずれかを行うように構成される、Ｃ１に記載の装置。
［Ｃ３］
前記処理システムが、
前記４８４トーンＲＵを選択することと、
前記５１２トーンプランによる送信用の前記メッセージを供給することと、
低密度パリティチェック（ＬＤＰＣ）のために、１２としてのトーンマッピング距離（ＤＴＭ）を使用して前記メッセージのトーンをマッピングすることと、
前記メッセージのバイナリ畳み込みコードインターリービングマップトーンを実行することを控えることと、
を行うように構成される、Ｃ１に記載の装置。
［Ｃ４］
前記処理システムが、２４２個のトーン以下のＲＵサイズに対してバイナリ畳み込みコード（ＢＣＣ）インターリービングを実行するようにさらに構成され、ここにおいて、ＢＣＣインターリービングが、すべてのＲＵサイズに対して４つ以下の空間ストリームを介した送信に限定される、Ｃ１に記載の装置。
［Ｃ５］
前記処理システムが、４０、８０、１６０、または８０＋８０ＭＨｚの単一ユーザ帯域幅のうちの少なくとも１つに対するサポートを宣言しているステーション、または４つを超える空間ストリームに対するサポートを宣言しているステーションへの送信のために、低密度パリティチェック（ＬＤＰＣ）を使用して前記メッセージのトーンをマッピングするようにさらに構成される、Ｃ１に記載の装置。
［Ｃ６］
前記装置が移動局であり、前記処理システムが、前記移動局をサービスするアクセスポイントへ前記移動局の送信機およびアンテナを通して前記メッセージを送信するように構成されることによって、送信用の前記メッセージを供給するように構成される、Ｃ１に記載の装置。
［Ｃ７］
前記装置がアクセスポイントであり、前記処理システムが、前記アクセスポイントによってサービスされる移動局へ前記アクセスポイントの送信機およびアンテナを通して前記メッセージを送信するように構成されることによって、送信用の前記メッセージを供給するように構成される、Ｃ１に記載の装置。
［Ｃ８］
ワイヤレス通信のための方法であって、
２０ＭＨｚ帯域幅を介した送信用の、２３４個のデータトーンと、８個のパイロットトーンと、３個の直流トーンと、１１個のエッジトーンとを備える２５６トーンプランに関連する２４２トーンリソースユニット（ＲＵ）、または
４０ＭＨｚ帯域幅を介した送信用の、４６８個のデータトーンと、１６個のパイロットトーンと、５個の直流トーンと、２３個のエッジトーンとを備える５１２トーンプランに関連する４８４トーンＲＵ
のうちの少なくとも１つを選択することと、
前記２５６トーンプランまたは５１２トーンプランによる送信用のメッセージを供給することと、
を備える、方法。
［Ｃ９］
選択する前記ステップが、前記２４２トーンＲＵを選択することを備え、供給する前記ステップが、前記２５６トーンプランによる送信用の前記メッセージを供給することを備え、
バイナリ畳み込みコード（ＢＣＣ）インターリービングのために、２６としてのインターリーバ深度と、４つまでの空間ストリームに対して５８としてのインターリーブされたローテーションインデックスとを使用して、符号化データをインターリーブすること、または
低密度パリティチェック（ＬＤＰＣ）のために、９としてのトーンマッピング距離（ＤＴＭ）を使用して前記メッセージのトーンをマッピングすること
のいずれかをさらに備える、Ｃ８に記載の方法。
［Ｃ１０］
選択する前記ステップが、前記４８４トーンＲＵを選択することを備え、供給する前記ステップが、前記５１２トーンプランによる送信用の前記メッセージを供給することを備え、
低密度パリティチェック（ＬＤＰＣ）のために、１２としてのトーンマッピング距離（ＤＴＭ）を使用して前記メッセージのトーンをマッピングすることと、
前記メッセージのバイナリ畳み込みコードインターリービングマップトーンを実行することを控えることと、
をさらに備える、Ｃ８に記載の方法。
［Ｃ１１］
２４２個のトーン以下のＲＵサイズに対してバイナリ畳み込みコード（ＢＣＣ）インターリービングを実行することと、ＢＣＣインターリービングを、４つ以下の空間ストリームを介した送信に限定することと、をさらに備える、Ｃ８に記載の方法。
［Ｃ１２］
４０、８０、１６０、または８０＋８０ＭＨｚの単一ユーザ帯域幅のうちの少なくとも１つに対するサポートを宣言しているステーション、または４つを超える空間ストリームに対するサポートを宣言しているステーションへの送信のために、低密度パリティチェック（ＬＤＰＣ）を使用して前記メッセージのトーンをマッピングすることをさらに備える、Ｃ８に記載の方法。
［Ｃ１３］
前記方法が移動局において実行され、送信用の前記メッセージを供給することが、前記移動局をサービスするアクセスポイントへ前記移動局の送信機およびアンテナを通して前記メッセージを送信することを備える、Ｃ８に記載の方法。
［Ｃ１４］
前記方法がアクセスポイントにおいて実行され得、送信用の前記メッセージを供給することが、前記アクセスポイントによってサービスされる移動局へ前記アクセスポイントの送信機およびアンテナを通して前記メッセージを送信することを備える、Ｃ８に記載の方法。
［Ｃ１５］
ワイヤレス通信のための装置であって、
２０ＭＨｚ帯域幅を介した送信用の、２３４個のデータトーンと、８個のパイロットトーンと、３個の直流トーンと、１１個のエッジトーンとを備える２５６トーンプランに関連する２４２トーンリソースユニット（ＲＵ）、または
４０ＭＨｚ帯域幅を介した送信用の、４６８個のデータトーンと、１６個のパイロットトーンと、５個の直流トーンと、２３個のエッジトーンとを備える５１２トーンプランに関連する４８４トーンＲＵ
のうちの少なくとも１つを選択するための手段と、
前記２５６トーンプランまたは５１２トーンプランによる送信用のメッセージを供給するための手段と、
を備える、装置。
［Ｃ１６］
選択するための前記手段が、前記２４２トーンＲＵを選択するための手段を備え、供給するための前記手段が、前記２５６トーンプランによる送信用の前記メッセージを供給するための手段を備え、前記装置が、
バイナリ畳み込みコード（ＢＣＣ）インターリービングのために、２６としてのインターリーバ深度と、４つまでの空間ストリームに対して５８としてのインターリーブされたローテーションインデックスとを使用して、符号化データをインターリーブすること、または
低密度パリティチェック（ＬＤＰＣ）のために、９としてのトーンマッピング距離（ＤＴＭ）を使用して前記メッセージのトーンをマッピングすること
のいずれかのための手段をさらに備える、Ｃ１５に記載の装置。
［Ｃ１７］
選択するための前記手段が、前記４８４トーンＲＵを選択するための手段を備え、供給するための前記手段が、前記５１２トーンプランによる送信用の前記メッセージを供給するための手段を備え、前記装置が、
低密度パリティチェック（ＬＤＰＣ）のために、１２としてのトーンマッピング距離（ＤＴＭ）を使用して前記メッセージのトーンをマッピングすることと、
前記メッセージのバイナリ畳み込みコードインターリービングマップトーンを実行することを控えることと、
を行うための手段をさらに備える、Ｃ１５に記載の装置。
［Ｃ１８］
２４２個のトーン以下のＲＵサイズに対してバイナリ畳み込みコード（ＢＣＣ）インターリービングを実行するための手段をさらに備え、ここにおいて、ＢＣＣインターリービングが、すべてのＲＵサイズに対して４つ以下の空間ストリームを介した送信に限定される、Ｃ１５に記載の装置。
［Ｃ１９］
４０、８０、１６０、または８０＋８０ＭＨｚの単一ユーザ帯域幅のうちの少なくとも１つに対するサポートを宣言しているステーション、または４つを超える空間ストリームに対するサポートを宣言しているステーションへの送信のために、低密度パリティチェック（ＬＤＰＣ）を使用して前記メッセージのトーンをマッピングするための手段をさらに備える、Ｃ１５に記載の装置。
［Ｃ２０］
実行されたとき、装置に、
２０ＭＨｚ帯域幅を介した送信用の、２３４個のデータトーンと、８個のパイロットトーンと、３個の直流トーンと、１１個のエッジトーンとを備える２５６トーンプランに関連する２４２トーンリソースユニット（ＲＵ）、または
４０ＭＨｚ帯域幅を介した送信用の、４６８個のデータトーンと、１６個のパイロットトーンと、５個の直流トーンと、２３個のエッジトーンとを備える５１２トーンプランに関連する４８４トーンＲＵ
のうちの少なくとも１つを選択することと、
前記２５６トーンプランまたは５１２トーンプランによる送信用のメッセージを供給することと、
を行わせるコードを備える、非一時的コンピュータ可読媒体。